(57)【要約】      （修正有）【課題】土木の急傾斜安定工法における法面型枠工事でコンクリート、モルタル打設による縦梁及び横梁の両側面と上面の三面は設計上、所定の厚さを確保し、その三面に打設時生じている痘痕、凹凸は均しそして平滑にする。【解決手段】三面同時均し道具本体１、横外板２、対向横外板３及び水平外板４から成る三面同時均し道具は、法面型枠の縦梁又は横梁の両側面と上面に同時に圧着し、この道具に一体加工されたリブの複数個の把手に手指で掌握し、該縦梁又は該横梁に前後、左右に移動させる。この移動によって設計上の厚みを確保し、痘痕及び凹凸は均し平滑になる。更に従来の手鏝より工事出来高が３．８４倍となり大きなコストダウンとなる。【選択図】図１
0003133343.tif 000002
【実用新案登録請求の範囲】
【請求項１】
縦外板とそれに対向する片一方の縦外板の上端部で一体連結する水平外板の三面がコの字形となる成型された道具において、この道具を土木工事における急傾斜法面型枠のコンクリート、モルタル打設面に圧接して前後、左右に圧接移動することによってコンクリート、モルタル打設面の三面が均され平滑となり、設計上の所定の厚さを確保することを特徴とする道具。
【請求項２】
縦外板とそれに対向する片一方の縦外板の上端部で一体連結する水平外板の三面がコの字形となる成型された道具において、連結された三面の直角の強度を確
0003133343.tif 000010
リブに把手の穴をくり抜き、把手により掌握できることを特徴とする三面同時均し道具。
【考案の詳細な説明】
【技術分野】
【０００１】  本考案は急傾斜法面型枠工のコンクリート、モルタル打設面を三面の外板をコの字状に連結し、前後、左右に圧接移動する道具に関するものである。
【背景技術】
【０００２】  土木工事における急傾斜法面型枠工は、コンクリート、モルタル打設後その打設時に生じるコンクリート、モルタルの表面の三面に発生する痘痕及び凹凸は手鏝で平滑にする作業をしている。
【考案の開示】
【考案が解決しようとする課題】
【０００３】  本考案は土木工事に於いて急傾斜崩壊の安定工法として法面傾斜の所定の位置に棒状鉄筋を配置し、クリンプ金網を組み合わせ、それらの交点にはアンカーにより固定されている。セメント、水、砂利をもって混合されたコンクリート、モルタルが吹付機の吐き出し口のノズルによって法面型枠に強く吹き付け打設される。
その打設されたコンクリート、モルタルの三面に生じた痘痕及び凹凸を平滑にすることが設計上決められている。
本考案は、法面型枠に発生した吹き付け面の三面を平滑に均し、設計上に要求された所定の厚さを確保させるために対処するものである。
【課題を解決するための手段】
【０００４】  本考案は、対向する両側面外板の端部においてこれを連結する上面水平外板の三面がコの字状になり、コの字状三面がコンクリートの硬化直前に、コンクリート、モルタルの三面に圧接させて、前後、左右に移動させながらコンクリート、モルタルの三面に発生している痘痕及び凹凸を同時に均し平滑にする道具に関する。
コンクリート、モルタル等の流動性のある建築材料の打設作業においては、所定の位置及び形態にて配置された法面型枠内に該流動性がある建築材料を打設し、硬化せしめている。この法面型枠に打設されたコンクリート、モルタル等から成るクリンプ金網等の建築要素の位置、形状及び寸法を画定するものであり、コンクリートやモルタルの打設直後にその形状、寸法が変化しないこと及び打設後の表面が平滑であることが要求される。
コンクリート、モルタルの法面型枠打設の三つの表面は凹凸が数多くあり、痘痕（あばた）面の状態を現出している。この痘痕面は風雨の侵食をもたらし、その結果法面型枠の亀裂の原因となり更には、型枠の強度劣化の起因となる。
本考案は上記した要求に対処するものであって、コンクリート、モルタルを打設直後の両側面及び上部面の三面の痘痕及び凹凸の均しと平滑にすることを目的としている。
【考案の効果】
【０００５】  これまでコンクリート、モルタルを法面型枠に打設した時に発生している痘痕及び凹凸を平滑にして吹き付け設計に定められた所定の厚さにするための手段として、これまで手鏝を用いている。該手鏝で吹き付け法面型枠の縦梁及び横梁の上面を均し、次に横側面を均し、引き続いて反対面の横側面を均し平滑にしている。
該手鏝の面積は大きいもので巾約１０センチ長さ約２５センチで材料は薄板鉄板、薄板鋼板、又はプラスチック等で出来ており、現在の全ての急傾斜法面型枠のコンクリート、モルタルの打設後の均しと平滑の作業は、法面工事に携わる左官工の特殊工種の作業員の該手鏝による均しと平滑が行われている。
急傾斜法面型枠工事は一工事の平面面積の大きさは平均２，０００ｍ２である。それに法面枠工は上面と横側面更に反対の横側面の均しと平滑を必要とする総面積は４，６８０ｍ２である。
該手鏝の均し面積が０．０２５ｍ２であり、左官工による該手鏝の１日８時間稼動の作業面積は９３．６ｍ２の均し面積である。本工事例による総面積４，６８０ｍ２の均しと平滑面積の左官工工事を完了するのに５０日間を必要とする。
本考案による三面同時均し道具面積は、０．３６ｍ２であって該道具の１日８時間稼動の作業面積は３６０ｍ２の均しと平滑の面積である。本工事例による総面積４，６８０ｍ２の均し面積の工事を完了するのに１３日間で完了する。
本考案の三面同時均し道具による均しと平滑の工事は１３日間と短縮され、作業は３．８４倍とスピード化される。加えてこれまでの手鏝工は左官工事の専門工が必要とされたが、本考案の三面同時均し道具は普通作業工で工事が可能であるための工事コストを大幅に低減することが出来る。
【考案の実施するための最良の形態】
【０００６】  本考案の三面同時均し道具はコンクリート、モルタルを打設した直後にコンクリート、モルタルの法面型枠の縦梁及び横梁のそれぞれの三面に本考案の三面同時均し道具を把手で掌握し、圧接させて該縦梁及び横梁に沿って前後左右に移動することによって、コンクリート、モルタルの打設時に生じる法面型枠上の痘痕及び凹凸を均し平滑に出来る。
法面型枠の縦梁及び横梁は設計上複数種類の高さ巾が決定している。本考案の三面同時均し道具は縦梁及び横梁の上面巾と両側面の高さに合致させて薄板鉄板、薄板鋼板又は耐久性のプラスチック等により軽量化されて複数種類を製作することができる。
【実施例】
【０００７】  以下添付図面に従って実施例を説明する。１は薄板鉄板又は薄板鋼板又は耐久性のプラスチック等の適宜材料にて製作し軽量化が望ましく、一体化型された三面同時均し道具本体。２は該道具の横外板。３は２に対向する横外板。４は２の横外板と３の２に対向する横外板を水平外板で連結しコの字状とするため２と３の上端部で同時に一体成型する。
２の横外板、３の２に対向する横外板、４の水平外板はコの字形となり直角で成形し直角が確保される。【０００８】  ２の横外板に４の水平外板。３の２に対向する横外板は直角に連結され、直角の強度を確保するため、２の横外板、４の水平外板、３の２に対向する横外板の複数ケ所の⊥状のリブ５ａ、５ｂ、５ｃを一体成型の際に設けることができる。
0003133343.tif 000003
３の２に対向する横外板の直角の広がりとゆがみ更にまがりを防止することによってコンクリート、モルタルを打設した縦梁及び横梁の設計上のそれぞれの梁の直角及び高さ、巾の均しと平滑面の成形をするための目的を果たすことができる。【０００９】
0003133343.tif 000004
面同時均し道具を掌握するため両手指が十分に入るための把手が加工されている。
２の横外板の上に成型された把手７ａ、又は８ａを片方の手指で掌握し、２に対向する３の横外板の上に成型された把手７ｃ、又は８ｃを別の手指で掌握する。
掌握された三面同時均し道具をコンクリート、モルタルを打設後の法面型枠の９の縦梁又は１０の横梁に本考案の三面同時均し道具を圧接し、前後及び左右に移動する。
これによりコンクリート、モルタル打設後の法面型枠の９の縦梁及び１０の横梁に生じている痘痕及び凹凸の三面を同時に均し平滑にすることが出来る。
【図面の簡単な説明】
【００１０】
【図１】三面同時均し道具の俯瞰図。リブは⊥状。
【図２】
0003133343.tif 000005
【図３】正面図。
【図４】横面図。リブは⊥状。
【図５】
0003133343.tif 000006
【図６】平面図。リブは⊥状。
【図７】
0003133343.tif 000007
【図８】コンクリート、モルタル打設後の縦梁、横梁に三面同時均し道具が圧接されている俯瞰図。
【図９】コンクリート、モルタル打設後の縦梁、横梁に手鏝が圧接されている俯瞰図。
【図１０】コンクリート、モルタル法面型枠吹付工事の機械配置図。
【符号の説明】
【００１１】  １．    三面同時均し道具の本体。
２．    横外板。
３．    ２に対向する横外板。
４．    水平外板。
５ａ．    ２に一体成型する⊥状の横リブ。
５ｂ．    ４に一体成型する⊥状の水平リブ。
５ｃ．    ３に一体成型する⊥状の横リブ。
0003133343.tif 000008
７ａ．    ２の⊥状リブに手指をさしこむ把手。
７ｂ．    ４の⊥状リブに手指をさしこむ把手。
７ｃ．    ３の⊥状リブに手指をさしこむ把手。
0003133343.tif 000009
９．    コンクリート、モルタル打設後均し平滑にされた縦梁。
１０．    コンクリート、モルタル打設後均し平滑にされた横梁。
１１．    コンクリート、モルタルが打設直後の痘痕や凹凸のある縦枠。
１２．    打設工事の機械のコンプレッサー。
１３．    打設工事の機械の発電機。
１４．    打設工事の機械の吹付機。
１５．    打設工事の吹付用のベルトコンベアー。
１６．    打設工事の吹付用のベルトコンベアー。
１７．    打設工事の機械の骨材計量器。
１８．    打設工事の機械の骨材用ホッパー。
１９．    コンクリート、モルタルの打設直後に均す手鏝。
２０．    法面型枠の棒状鉄筋。
２１．    法面型枠のクリンプ金網。
２２．    打設工事の機械のタイヤーショベル。
【図１】
0003133343.tif 000011
【図２】
0003133343.tif 000012
【図３】
0003133343.tif 000013
【図４】
0003133343.tif 000014
【図５】
0003133343.tif 000015
【図６】
0003133343.tif 000016
【図７】
0003133343.tif 000017
【図８】
0003133343.tif 000018
【図９】
0003133343.tif 000019
【図１０】
0003133343.tif 000020
【手続補正書】
【提出日】平成19年3月27日(2007.3.27)
【手続補正１】
【補正対象書類名】実用新案登録請求の範囲
【補正対象項目名】全文
【補正方法】変更
【補正の内容】
【実用新案登録請求の範囲】
【請求項１】
縦外板とそれに対向する片一方の縦外板の上端部で一体連結する水平外板の三面がコの字形となる成型された道具において、
（１）この道具を土木工事における急傾斜法面型枠のコンクリート・モルタル打設面に圧接して前後、左右に圧接移動することによって、打設面の三面が均等に平滑となる
（２）この均等平滑となることにより、設計上の所定の厚さを確保することが出来る
以上のことを特徴とする三面同時均し道具。
【請求項２】
縦外板とそれに対向する片一方の縦外板の上端部で一体連結する水平外板の三面がコの字形となる成型された道具において、
0003133343.tif 000021
同時に成型する
0003133343.tif 000022
以上の構成からなることを特徴とする三面同時均し道具。